(57)【要約】      （修正有）【課題】広告効果を向上させたサービス券配布ボックスを提供する。【解決手段】店が客にサービス券１８を配布するために使用するサービス券配布ボックス１において、ケーシング２の前側部に店から客へのメッセージを記載したメッセージシート１４を外部から透視可能に収容するためのメッセージシート収容室１３を形成するとともに、ケーシング２の後側部に店から客に配布するサービス券１８を収容するためのサービス券収容室１７を形成し、メッセージシート収容室１３及びサービス券収容室１７の上部に開閉蓋３を設ける。【選択図】図３
0003157628.tif 000002
【実用新案登録請求の範囲】
【請求項１】
店が客にサービス券を配布するために使用するサービス券配布ボックスにおいて、
ケーシングの前側部に店から客へのメッセージを記載したメッセージシートを外部から透視可能に収容するためのメッセージシート収容室を形成するとともに、ケーシングの後側部に店から客に配布するサービス券を収容するためのサービス券収容室を形成し、メッセージシート収容室及びサービス券収容室の上部に開閉蓋を形成したことを特徴とするサービス券配布ボックス。
【請求項２】
前記メッセージシート収容室とサービス券収容室との間に前記メッセージシートを後方から照らす照明器具を収容するための照明器具収容室を形成したことを特徴とする請求項１に記載のサービス券配布ボックス。
【請求項３】
前記サービス券収容室の底壁を傾斜状に形成するとともに、底壁の下端部に外部へ連通する連通孔を形成したことを特徴とする請求項１又は請求項２に記載のサービス券配布ボックス。
【考案の詳細な説明】
【技術分野】
【０００１】
本考案は、店が客にサービス券を配布するために使用するサービス券配布ボックスに関するものである。
【背景技術】
【０００２】
従来より、たとえば特許文献１に開示されているように、店が客にサービス券を配布するために袋状の収容部にサービス券を収容した広告用具を店に設置し、客が自由に広告用具からサービス券を受け取ることができるようにしたものが考えられている。
【０００３】
この従来のサービス券を配布するための広告用具では、基板にサービス券を収容するための袋状の収容部を形成するとともに、袋状収容部の左右側部に店から客へのメッセージを掲載するように構成されている。
【先行技術文献】
【特許文献】
【０００４】
【特許文献１】実用新案登録第３１４１２１７号公報
【考案の概要】
【考案が解決しようとする課題】
【０００５】
ところが、上記従来のサービス券を配布するための広告用具は、店舗の内部に設置することを前提として考案されたものであり、天候の影響を受ける店外に設置することが困難であった。
【０００６】
そのため、店の営業時間内に店舗内に来られた客に対してはサービス券を配布することができても、店の営業時間外や休業日に来られた客や店の営業時間内に店舗前を通過する客に対してはサービス券を配布することができず、広告効果が低減してしまうおそれがあった。
【課題を解決するための手段】
【０００７】
そこで、請求項１に係る本考案では、店が客にサービス券を配布するために使用するサービス券配布ボックスにおいて、ケーシングの前側部に店から客へのメッセージを記載したメッセージシートを外部から透視可能に収容するためのメッセージシート収容室を形成するとともに、ケーシングの後側部に店から客に配布するサービス券を収容するためのサービス券収容室を形成し、メッセージシート収容室及びサービス券収容室の上部に開閉蓋を形成することにした。
【０００８】
また、請求項２に係る本考案では、前記請求項１に係る本考案において、前記メッセージシート収容室とサービス券収容室との間に前記メッセージシートを後方から照らす照明器具を収容するための照明器具収容室を形成することにした。
【０００９】
また、請求項３に係る本考案では、前記請求項１又は請求項２に係る本考案において、前記サービス券収容室の底壁を傾斜状に形成するとともに、底壁の下端部に外部へ連通する連通孔を形成することにした。
【考案の効果】
【００１０】
そして、本考案では、以下に記載する効果を奏する。
【００１１】
すなわち、本考案では、店が客にサービス券を配布するために使用するサービス券配布ボックスにおいて、ケーシングの前側部に店から客へのメッセージを記載したメッセージシートを外部から透視可能に収容するためのメッセージシート収容室を形成するとともに、ケーシングの後側部に店から客に配布するサービス券を収容するためのサービス券収容室を形成し、メッセージシート収容室及びサービス券収容室の上部に開閉蓋を形成することにしているために、天候の影響を受ける店外にも設置することが可能となり、店の営業時間外や休業日に来られた客や店の営業時間内に店舗前を通過する客に対してもサービス券を配布することができ、広告効果を向上させることができる。
【００１２】
特に、メッセージシート収容室とサービス券収容室との間にメッセージシートを後方から照らす照明器具を収容するための照明器具収容室を形成することにした場合には、夜間においても客に認識させることができ、これによっても、広告効果を向上させることができる。
【００１３】
また、サービス券収容室の底壁を傾斜状に形成するとともに、底壁の下端部に外部へ連通する連通孔を形成することにした場合には、雨天時にサービス券が濡れて損傷してしまうのを防止することができ、これによっても、広告効果を向上させることができる。
【図面の簡単な説明】
【００１４】
【図１】本考案に係るサービス券配布ボックスを示す正面図。
【図２】同平面図。
【図３】同側面断面図。
【考案を実施するための形態】
【００１５】
以下に、本考案に係るサービス券配布ボックスの具体的な構成について図面を参照しながら説明する。なお、サービス券配布ボックスとは、内部に店の割引券やチラシなどのサービス券を収容し、客が自由に内部からサービス券を受け取ることができるようにして、店から客にサービス券を配布するために使用されるものである。
【００１６】
図１〜図３に示すように、サービス券配布ボックス１は、透明なプラスチック製の箱型をしており、中空矩形箱型状のケーシング２の上部開口に開閉蓋３を蝶番４を介して上下回動（開閉）可能に取付けている。ここで、開閉蓋３は、ケーシング２の上部開口を閉塞する天板５の前端部及び左右端部に縁板６を下方に向けて形成して、雨水がケーシング２の内部に浸入しないようにしている。
【００１７】
このサービス券配布ボックス１は、矩形板状の基板７の左右端部に矩形板状の左右側壁8,9を前方に向けて形成するとともに、基板７の下端部に矩形板状の底壁10を前方に向けて形成し、左右側壁8,9及び底壁10の前端部に矩形板状の透明な前面パネル11を形成している。
【００１８】
また、サービス券配布ボックス１は、前面パネル11の直後方位置に矩形板状の透明な後面パネル12を前面パネル11と所定の間隔をあけて平行に形成し、ケーシング２の前側部に前後面パネル11,12と底壁10とで区画された上部に開口を有するメッセージシート収容室13を形成している。このメッセージシート収容室13は、内部に店から客へのメッセージを記載したメッセージシート14を収容することができ、内部に収容したメッセージシート14が透明な前面パネル11を通して外部から透視することができるようになっている。
【００１９】
また、サービス券配布ボックス１は、メッセージシート収容室13の後面パネル12の直後方位置に矩形板状の仕切壁15を後面パネル12と所定の間隔をあけて平行に形成するとともに、仕切壁15の下端部と基板７の前側下部との間に前低後高状に傾斜する底壁16を形成し、ケーシング２の後側部に仕切壁15と基板７と底壁16とで区画された上部に開口を有するサービス券収容室17を形成している。このサービス券収容室17は、内部に店から客に配布するサービス券18を収容することができ、内部に収容したサービス券18を透明なケーシング２を通して外部から透視することができるようになっている。
【００２０】
このサービス券収容室17は、底壁16の下端部（前端部）に半円形の貫通状の連通孔19を形成しており、ケーシング２の底壁10の前端部に形成した半円形の貫通孔20を介して外部に連通している。
【００２１】
また、サービス券配布ボックス１は、メッセージシート収容室13とサービス券収容室17との間に後面パネル12と仕切壁15と底壁10とで区画された上部に開口を有する照明器具収容室21を形成している。この照明器具収容室21は、メッセージシート収容室13に収容したメッセージシート14を後方から照らすための照明器具22を収容している。ここで、照明器具22は、照明器具収容室21の内側左右側部に取付けた縦長矩形板状の左右一対の面発光型のＬＥＤ（発光ダイオード）からなる照明装置23,24と、照明器具収容室21の内側後側部に取付けた矩形板状の反射板25とで構成している。
【００２２】
さらに、サービス券配布ボックス１は、ケーシング２の底壁10とサービス券収容室17の底壁16との間に照明器具22の電源26を収容するための電源収容室27を形成している。
【００２３】
以上に説明したように、上記サービス券配布ボックス１は、ケーシング２の前側部に店から客へのメッセージを記載したメッセージシート14を外部から透視可能に収容するためのメッセージシート収容室13を形成するとともに、ケーシング２の後側部に店から客に配布するサービス券18を収容するためのサービス券収容室17を形成し、メッセージシート収容室13及びサービス券収容室17の上部に開閉蓋３を形成した構成となっている。
【００２４】
そのため、上記構成のサービス券配布ボックス１では、開閉蓋３によってメッセージシート収容室13及びサービス券収容室17の内部への雨水の浸入を防止することができるので、天候の影響を受ける店外にも設置することが可能となり、店の営業時間外や休業日に来られた客や店の営業時間内に店舗前を通過する客に対してもサービス券18を配布することができ、サービス券配布ボックス１を用いた宣伝広告の効果を向上させることができる。
【００２５】
また、上記サービス券配布ボックス１は、メッセージシート収容室13とサービス券収容室17との間にメッセージシート14を後方から照らす照明器具22を収容するための照明器具収容室21を形成した構成となっている。
【００２６】
そのため、上記構成のサービス券配布ボックス１では、照明器具22でメッセージシート14を照射することで夜間においても客にサービス券配布ボックス１の存在を認識させることができ、より一層サービス券配布ボックス１を用いた宣伝広告の効果を向上させることができる。
【００２７】
さらに、上記サービス券配布ボックス１は、サービス券収容室17の底壁16を傾斜状に形成するとともに、底壁16の下端部に外部へ連通する連通孔19を形成した構成となっている。
【００２８】
そのため、上記構成のサービス券配布ボックス１では、雨天時に雨水がサービス券収容室17の内部に浸入しても直ちに連通孔19から排水することができるので、サービス券18が濡れて損傷してしまうのを防止することができ、これによっても、より一層サービス券配布ボックス１を用いた宣伝広告の効果を向上させることができる。
【符号の説明】
【００２９】
１  サービス券配布ボックス              ２  ケーシング
３  開閉蓋                              ４  蝶番
５  天板                                ６  縁板
７  基板                                8,9  側壁
10  底壁                                11  前面パネル
12  後面パネル                          13  メッセージシート収容室
14  メッセージシート                    15  仕切壁
16  底壁                                17  サービス券収容室
18  サービス券                          19  連通孔
20  貫通孔                              21  照明器具収容室
22  照明器具                            23,24  照明装置
25  反射板                              26  電源
27  電源収容室
【図１】
0003157628.tif 000003
【図２】
0003157628.tif 000004
【図３】
0003157628.tif 000005